(57)【要約】      （修正有）【課題】構造簡単、使用便利、解体収納に空間を占有しない植物栽培プランターの構造の提供。【解決手段】網カバー構造は、プランターの開口と対応する形状の網蓋を有し、網蓋と前記プランターの開口四周辺縁は挿入孔を設置し、複数の支承柱が挿入され、網蓋四周辺は各挿入孔間で両端が、“]”状と“[”状の長形のスリットを設置し、 “]”状と“[”状の槽片を設置し、複数の支承柱２３は両末端が小径段を形成し、両側辺は比翼を形成し、網片両側の“]”状と“[”状槽片と組み合わされ、封閉する網カバー構造を構成する。【選択図】図１
0003139768.tif 000002
【実用新案登録請求の範囲】
【請求項１】
植物栽培プランターの構造であって、プランターは開口四周辺縁に網カバーを蓋結してなり、その特徴は、前記網カバー構造は、前記プランターの開口と対応する形状の網蓋を有し、前記網蓋と前記プランターの開口四周辺縁は挿入孔を設置し、複数の支承柱が挿入され、前記網蓋四周辺は各挿入孔間で両端が、
“]”状と“[”状の長形のスリットを設置し、 “]”状と“[”状の槽片を設置し、複数の支承柱２３は両末端が小径段を形成し、両側辺は比翼を形成し、前記網片両側の“]”状と“[”状槽片と組み合わされ、封閉する網カバー構造を構成することを特徴とする植物栽培プランターの構造。
【請求項２】
前記網カバー構造の網蓋中央はランプ台座を結合し、ランプを装着して、前記網蓋内側で栽培植物に照射することを特徴とする請求項１に記載の植物栽培プランターの構造。
【請求項３】
前記プランター内壁底側は段を形成し、仕切り層が設置され、一側の段は排水孔を横向きに貫設し、止水素子を設置し、前記仕切り層は縦横に網孔を配列する片体で、前記網孔片体上に複数の導水凹槽を有し、底面は支承脚を凸設することを特徴とする請求項１、或いは、２に記載の植物栽培プランターの構造。
【考案の詳細な説明】
【技術分野】
【０００１】
本考案は構造が簡単で、使用が便利、解体収納が空間を占有しない植物栽培プランター構造に関する。
【背景技術】
【０００２】
中華民国（台湾）において、中華民国９５年（２００６年）9月１１日公告の第９４２２２７７５号で開示された「植物栽培プランターの改良構造」の考案は、その構造は請求項に記述されているように、容納箱内に支承パッドを設置し、栽培土、不織布層、肥料層、圧縮界質層と隔離吸付層等を提供し、植物栽培時、網蓋により容納箱上を蓋して、蚊や太陽光から遮断する。
【０００３】
しかし、上述の網蓋の構造は、適当な高さの支承フレーム１３を一体成型し、網蓋を容納箱上で支承し、開口に蚊や蛾等の害虫が侵入するのを防止する。網蓋の各支承フレームは一体成型で、固定の高さで多くの空間を占有するので、製造メーカーにとって、包装や保管、物流の面で負担となっている。
【０００４】
更に、農場栽培の使用者にとって、栽培する植物に水を撒く、肥料を与える時、網蓋全体を開いて放置しなければならないので、操作上不便なだけでなく、周辺空間を占有し、また、植物に害虫が侵入しやすい開放状態である。
【考案の開示】
【考案が解決しようとする課題】
【０００５】
本考案の目的は、上述の問題を改善する植物栽培プランターの構造を提供することにある。
【課題を解決するための手段】
【０００６】
上述の目的を達成するため、本考案の植物栽培プランターの構造は、プランターと網カバー構造とからなる。内部底側に仕切り層を設置したプランターの上開口に網カバーを蓋結する構造で、網カバー構造は、プランターと対応する形状の網蓋を、複数の支承柱によりプランター開口四周辺縁に挿入してなり、網蓋四周辺は挿入する支承柱間に長形スリットを設置する。
【考案の効果】
【０００７】
本考案の植物栽培プランターの構造は、包装、保管、運送面における負担、及び、操作上の不便、害虫による被害等の問題を改善し、また、本考案の構造は、分解してプランター内に収納できるという長所が得られる。
【０００８】
図１は、本考案の立体分解図である。プランター１０上の開口四周辺縁１１に網カバー２０を蓋結してなる。
【０００９】
プランター１０は、開口四周辺縁１１に挿入孔１１２を間隔を隔てて設置し、各挿入孔１１２間に二制限片１１３を横設し、側壁の底側は段１２を内側に形成し、仕切り層１３を設置する。一側の段１２は排水孔１２１を横向けに貫設し、止水素子１４を設置している。仕切り層１３は縦横に網孔を配置する片体で、底面に複数の支承脚１３１を設置する。仕切り層１３の網孔片体中に複数の導水凹槽１３２を設置する。
【００１０】
網カバー構造２０は、網面構造を有する網蓋２１を有し、中央に十字型の補強リブ２１１を形成する。四周フレームは、プランター１０四周辺縁１１と対応する挿入孔２１２を設置し、各挿入孔２１２間は両端が“]”状と“[”状の長形のスリット２１３を設置し、網片２２両側が、“]”状と“[”状の槽片２２１を設置する。各挿入孔２１２は支承柱２３を挿入し、外径上は長形スリット２１３両端に対応する“]”状と“[”状の端部構造の比翼２３１を凸設する。支承柱２３両端は、小径の挿入段２３２を形成する。
【００１１】
上述の構造の組合せにより、網カバー構造２０の各支承柱２３下端の小径の挿入段２３２がプランター１０の四周辺縁１１の挿入孔１１２に挿入され、更に、上端の小径の挿入段２３２が網蓋２１四周辺縁の挿入孔２１２と支承結合する。また、各網片２２は、両側が“]”状と“[”状の槽片２２１と網蓋２１周辺の各長形スリット２１３両端と対応して、下向けに設置され、下端が四周辺縁１１表面に横設された制限片１１３に結合し、図２で示されるように、プランター１０開口四周辺縁１１上に、密封蓋結する網カバー構造２０を組み合わせる。
【００１２】
図３は本考案の使用状態の断面図である。プランター１０内は、網孔を有する仕切り層１３により栽培土３０を盛り、植物４０を栽培する。栽培する植物４０に水や肥料をやる時、網カバー構造２０の網蓋２１周辺の任意の網片２２を開くだけで、局部空間が開き、水や肥料を与えることができ、操作上便利、周辺空間も占有せず、また、プランター１０の開口上方のその他の網片２２は閉まったままであるので、植物４０は害虫の侵入から保護される。不使用時、各素子はプランター１０に収納でき、包装、保管、運輸の面における負担を減少させ、メーカーのコストを減少させることができる。
【００１３】
図４は、本考案のもう1つの使用状態を示す図である。プランター１０内の栽培土３０を盛る仕切り層１３は、その表面の網孔構造により、水やり後の余分な水分を仕切り層１３より下の箱底空間に集め、プランター１０底側の排水孔１２１の止水素子１４を抜くと、その水分が箱外に排出される。
【００１４】
図５、図６は本考案の第二実施例による立体分解図、及び、組み立て図である。プランター１０に網蓋２１を結合し、網状構造中央に十字型の補強リブ２１１を設置し、ランプの台座２４を装着し、図３で示されるように、網蓋２１内側にランプ２５を装着して、栽培植物４０に照射し、光合成作用を促すこともできる。
【００１５】
上述のような構造の植物栽培プランターは、組合せ式の素子構造をプランター内に解体して収納することができ、包装、保管、運輸コストの負担を減少させることができる。また、網カバー構造は局部開放使用できるので、操作が容易で、周辺空間を占有せず、また、害虫から植物を守ることができる。
【図面の簡単な説明】
【００１６】
【図１】本考案の立体分解図である。
【図２】本考案の立体組み立て図である。
【図３】本考案の使用状態の断面図である。
【図４】本考案のもう1つの使用状態の断面図である。
【図５】本考案の第二実施例による立体分解図と
【図６】本考案の第二実施例による組み立て図である。
【符号の説明】
【００１７】
１０…プランター
１１…四周辺縁
１１２、２１２…挿入孔
１１３…制限片
１２…段
１２１…排水孔
１３…仕切り層
１３１…支承脚
１３２…導水凹槽
１４…止水素子
２０…網カバー構造
２１…網蓋
２１１…補強リブ
２１３…長形スリット
２２…網片
２２１…槽片
２３…支承柱
２３１…比翼
２３２…小径挿入段
２４…ランプ台座
２５…ランプ
３０…栽培土
４０…植物
【図１】
0003139768.tif 000003
【図２】
0003139768.tif 000004
【図３】
0003139768.tif 000005
【図４】
0003139768.tif 000006
【図５】
0003139768.tif 000007
【図６】
0003139768.tif 000008